(57)【要約】      （修正有）【課題】従来のＣ形止め輪と同等の軸方向固定機能を有しながら、異物浸入防止性能の向上を図る。【解決手段】一部が分断されてなる合口部を有する環状体である、軸受固定用のＣ型止め輪２０１、２１１であって、前記合口部に分断端部を繋ぐように弾性部材２０９，２１９を設けた軸受固定用のＣ型止め輪。合口部を弾性部材で塞いでいるため、従来のＣ型止め輪に比べ、異物浸入防止性能が向上している。円弧部２０４，２１４により軸受シール部材の摺動面を充分覆う径方向幅とすることにより、異物浸入防止性能が向上する。【選択図】図２
2016200171.tif 000002
【特許請求の範囲】
【請求項１】
一部が分断されてなる合口部を有する環状体である軸受け固定用のＣ型止め輪であって、
前記合口部に分断端部を繋ぐように弾性部材を設けたことを特徴とする軸受固定用のＣ型止め輪。
【請求項２】
前記軸受のシール部材の摺動部を覆う程度まで径方向幅を広く設けたことを特徴とする請求項１に記載の軸受固定用のＣ型止め輪。
【発明の詳細な説明】
【技術分野】
【０００１】
本発明は、軸受を軸方向に固定する止め輪に関する。
【背景技術】
【０００２】
軸受を軸、あるいはハウジング等に装着する場合、軸方向への移動を防止する為に、例えば特許文献１の技術のように、Ｃ形止め輪が広く使用されている。
【０００３】
図４（ａ）に、ＪＩＳＢ２８０４に規定されている軸用Ｃ形止め輪１を示す。軸用Ｃ形止め輪１は、一部が分断されてなる合口部２を有する環状体であり、合口部２側の分断端部３、３が径方向幅広とされ、分断端部３、３から合口部２に対して１８０度反対側に向かって径方向幅が大きくなる円弧部４、４を備える。このため、合口部２に対して１８０度反対側には幅広部５が形成される。なお、分断端部３、３には、この軸用Ｃ形止め輪１を取付けたり取外したりする際に、スナップリングプライヤー等の工具を挿入するための孔部６が設けられている。
【０００４】
図４（ｂ）に、ＪＩＳＢ２８０４に規定されている穴用Ｃ形止め輪１１を示す。
穴用Ｃ形止め輪１１は、一部が分断されてなる合口部１２を有する環状体であり、合口部１２側の分断端部１３、１３が径方向幅広とされ、分断端部１３、１３から合口部１２に対して１８０度反対側に向かって径方向幅が大きくなる円弧部１４、１４を備える。このため、合口部１２に対して１８０度反対側には幅広部１５が形成される。なお、分断端部１３、１３には、この穴用Ｃ形止め輪１１を取付けたり取外したりする際に、スナップリングプライヤー等の工具を挿入するための孔部１６が設けられている。
【０００５】
図５に、軸用Ｃ形止め輪１、穴用Ｃ形止め輪１１を用いて軸受１０を軸方向に固定した１例を示す。軸７には、ＪＩＳＢ２８０４に規定された止め輪溝７ａが形成されている。この止め輪溝７ａの溝深さよりも軸用Ｃ形止め輪１の径方向幅の方が大きく設定されており、軸用Ｃ形止め輪１の外径側が止め輪溝７ａよりも突出する。この突出した部分と軸７に設けられた肩部７ｂとで軸受１０を挟持することにより軸受１０が軸７に対して軸方向に固定される。
【０００６】
軸用Ｃ形止め輪１を止め輪溝７ａに嵌着する場合、スナップリングプライヤー等の止め輪取り付工具を分断端部３、３の孔部６、６に挿入して、分断端部３、３を相互に離間する方向（図４（ａ）の矢印Ａの方向）に広げ、弾性変形を利用して拡径させ、この状態で、止め輪溝７ａに嵌入する。
【０００７】
ハウジング８には、ＪＩＳＢ２８０４に規定された止め輪溝８ａが形成されている。この止め輪溝８ａの溝深さよりも穴用Ｃ形止め輪１１の径方向幅の方が大きく設定されており、穴用Ｃ形止め輪１の内径側が止め輪溝８ａよりも突出する。この突出した部分とハウジング８に設けられた肩部８ｂとで軸受１０を挟持することにより軸受１０がハウジング８に対して軸方向に固定される。
【０００８】
穴用Ｃ形止め輪１１を止め輪溝８ａに嵌着する場合、スナップリングプライヤー等の止め輪取り付工具を分断端部１３、１３の孔部１６、１６に挿入して、分断端部１３、１３を相互に接近する方向（図４（ｂ）の矢印Ｂの方向）に狭め、弾性変形を利用して縮径させ、この状態で、止め輪溝８ａに嵌入する。
【０００９】
このように、軸用Ｃ形止め輪１、穴用Ｃ形止め輪１１は、共に弾性変形を利用して軸７、もしくはハウジング８へ嵌着されるため、環状の一部が分断されてなる合口部２、１２が必須の構成となっている。しかし、この合口部２、１２が軸受近傍にあることから水等の異物が直接軸受のシール部に掛かり、軸受内部に異物が浸入しやすいという問題があった。
【先行技術文献】
【特許文献】
【００１０】
【特許文献１】実開昭６１−００７６０９号公報
【発明の概要】
【発明が解決しようとする課題】
【００１１】
本発明の軸受固定用止め輪は、上述の様な事情に鑑み、従来のＣ形止め輪と同等の軸方向固定機能を有しながら、異物浸入防止性能の向上を図るべく発明したものである。
【課題を解決するための手段】
【００１２】
本発明の上記目的は、下記の構成により達成される。
一部が分断されてなる合口部を有する環状体である軸受け固定用のＣ型止め輪であって、
前記合口部に分断端部を繋ぐように弾性部材を設けたことを特徴とする軸受固定用のＣ型止め輪。また、前記軸受のシール部材の摺動部を覆う程度まで径方向幅を広く設けるとさらに効果を得ることができる。
【発明の効果】
【００１３】
上述の様に構成する本発明の軸受固定用止め輪によれば、従来のＣ形止め輪と同等の軸方向位置決め機能を有しながら、合口部分を弾性体で塞いでいるため従来のＣ形止め輪に比べ異物浸入防止性能が向上している。軸受シール部材の摺動面を充分覆う径方向幅とすることにより、異物浸入防止性能が向上する。軸受のシール部材との間にラビリンス隙間を設けるとさらに効果を得ることができる。
【図面の簡単な説明】
【００１４】
【図１】本発明に係る軸受固定用Ｃ形止め輪の第1の実施形態の例である。
【図２】本発明に係る軸受固定用Ｃ形止め輪の第２の実施形態の例である。
【図３】第２の実施形態の軸受固定用Ｃ形止め輪を用いて軸、ハウジングに軸受けを固定した例を示す断面図である。
【図４】ＪＩＳＢ２８０４に規定されたＣ形止め輪を示す。
【図５】ＪＩＳＢ２８０４に規定されたＣ形止め輪を用いて軸、ハウジングに軸受けを固定した例を示す断面図である。
【発明を実施するための最良の形態】
【００１５】
図１に、本発明に係る軸受固定用止め輪の第1の実施形態の例を示す。図１（ａ）に示す軸用Ｃ形止め輪１０１は、安価な、市販のＪＩＳ規格軸用Ｃ形止め輪１の合口部２に分断端部３、３を繋ぐように弾性体９を設けたものである。また、図１（ｂ）に示す穴用Ｃ形止め輪１１１は、安価な、市販のＪＩＳ規格穴用Ｃ形止め輪１１の合口部１２に分断端部１３、１３を繋ぐように弾性体１９を設けたものである。
【００１６】
このようなＣ形止め輪１０１、１１１を用いる際には、シャフト、あるいはハウジングにＪＩＳ規格の止め輪溝を設け、スナップリングプライヤー等の止め輪取り付工具を用いて弾性変形させることにより、従来のＣ形止め輪と同様の手順で止め輪溝への嵌着が可能である。
【００１７】
図１に示すように、弾性体９、１９は、Ｃ形止め輪１０１、１１１の合口部２、１２を塞ぐように設けられており、弾性域の広いゴム等が好適に使用できる。軸方向の厚さは問わないが、薄すぎると弾性変形させたときに破損しやすくなるので、止め輪の軸方向厚さに近い値に設定すると良い。
【００１８】
また、弾性体９、１９は、合口部２、１２のみではなく、例えば、分断端部３、１３などのＣ形止め輪１０１、１１１の一部に掛かっていたり、あるいは全面を覆っていても良い。その場合、Ｃ形止め輪１０１、１１１を覆った弾性体９、１９の厚みを考慮して、止め輪溝７ａ、８ａの溝幅をＪＩＳ規格の溝寸法よりも広く設定すればよい。
【００１９】
図２に、本発明に係る軸受固定用Ｃ形止め輪の第２の実施形態の例を示す。図２（ａ）は、軸用Ｃ形止め輪２０１であり、図２（ｂ）は、穴用Ｃ形止め輪２１１である。第1の実施の形態では、ＪＩＳ規格のＣ形止め輪１、１１の合口部２、１２を分断端部３、３、１３、１３を繋ぐように弾性体９、１９を設けたが、第２の実施の形態のＣ形止め輪２０１、２１１は、径方向幅が一定の円弧部２０４、２１４を持ち、合口部を塞ぐように分断端部２０３、２０３、２１３、２１３を繋ぐように弾性体２０９、２１９が設けられている。円弧部２０４、２１４の径方向幅が一定で且つ、ＪＩＳ規格の止め輪１、１１よりも幅が広いので、より高い異物浸入防止性能を持つ。
【００２０】
特に軸受１０のシール部材１０ａの摺動部側のＣ形止め輪、即ち、シール部材が外輪固定、内輪摺動の場合の軸用Ｃ形止め輪２０１、シール部材１０ａが内輪固定、外輪摺動の場合の穴用Ｃ形止め輪２１１、をシール部材１０ａの摺動部を覆う程度まで幅広にすることで、シール部へ直接異物が届かなくなり、より高い異物浸入防止性能を持つ。図３は、軸用Ｃ形止め輪２０１をシール部材１０ａの摺動部を覆う程度に幅広とした例である。軸用Ｃ形止め輪２０１とシール部材１０ａとの間にラビリンス隙間が生じ、より、異物の浸入を妨げることができる。
【００２１】
なお、本願発明の説明に使用した各々の図面の縮尺等は、特に意図された物ではなく、各部寸法は、図面の比率などに制約されない。例えば、図２（ａ）の軸用Ｃ形止め輪２０１の外径と幅の比率は、図の比率に限定されるものではない。
【産業上の利用可能性】
【００２２】
本発明の軸受固定用Ｃ形止め輪によれば、従来のＣ形止め輪と同等の軸方向位置決め機能を有しながら、合口部分を弾性体で塞いでいるため従来のＣ形止め輪に比べ異物浸入防止性能が向上している。さらに、軸受シール部材の摺動面を充分覆う径方向幅とすることにより、より、異物浸入防止性能が向上するので、軸受固定用のＣ型止め輪として好適に使用できる。
【符号の説明】
【００２３】
１、１１、１０１、１１１、２０１、２１１  Ｃ形止め輪
２、１２  合口部
３、１３、２０３、２１３  分断端部
４、１４、２０４、２１４  円弧部
５、１５  幅広部
６、１６  穴部
７  軸
７ａ  止め輪溝
７ｂ  肩部
８  ハウジング
８ａ  止め輪溝
９、１９、２０９、２１９  弾性体
１０  軸受
１０ａ  シール部材
【図１】
2016200171.tif 000003
【図２】
2016200171.tif 000004
【図３】
2016200171.tif 000005
【図４】
2016200171.tif 000006
【図５】
2016200171.tif 000007